(57)【特許請求の範囲】
【請求項１】
車両用シートで使用するためのワンピース型シートバックフレームアセンブリであって、
ａ．上端及び下端を有する第１サイド部分と、上端及び下端を有し、前記第１サイド部分から離間する第２サイド部分と、
ｂ．第１端及び反対の第２端を有する上部クロス部分であって、前記第１端が前記第１サイド部分の上端に形成され、前記第２端が前記第２サイド部分の上端に形成された上部クロス部分と、
ｃ．第１端及び反対の第２端を有する下部クロス部分であって、前記第１端が前記第１サイド部分の下端に形成され、前記第２端が前記第２サイド部分の下端に形成された下部クロス部分と
を有するワンピース型シートバックフレームと、
第１端、反対の第２端、前面、及び反対の後面を有する細長い本体部分と、前記本体部分の第１端から外側に延びる第１壁部と、前記本体部分の第２端から外側に延びる反対の第２壁部とを有する下部クロスブラケット部材であって、前記下部クロスブラケット部材が前記シートバックフレームの下部クロス部分に少なくとも部分的に重なって前記下部クロス部分と共に箱型断面を形成するように前記シートバックフレームに連結された下部クロスブラケット部材と、
片側リクライニングシステムのために前記下部クロスブラケット部材の第２端に連結された第１リクライニング機構と
を備えるワンピース型シートバックフレームアセンブリ。
【請求項２】
両側リクライニングシステムのために前記下部クロスブラケット部材の第１端に連結された第２リクライニング機構をさらに備える、請求項１に記載のワンピース型シートバックフレーム。
【請求項３】
前記下部クロスブラケット部材の第１端に連結されたピボットブラケットをさらに備え、前記ピボットブラケットが、開口部を有する平面状プレート部分と、前記開口部内に回転可能に配置されたコネクタとを含む、請求項１に記載のワンピース型シートバックフレームアセンブリ。
【請求項４】
前記コネクタが、外縁と穴を画定する内縁とを有するリング部分と、前記内縁から延びる円筒状の壁とを含む、請求項３に記載のワンピース型シートバックフレームアセンブリ。
【請求項５】
前記平面状プレート部分の開口部が縁を有する押し出し穴であり、前記コネクタが前記プレートの穴の縁の上で回転するように、前記コネクタが回転可能にそこに配置されてソケット継手を作る、請求項４に記載のワンピース型シートバックフレームアセンブリ。
【請求項６】
前記下部クロスブラケット部材が、前記シートバックフレームの下部クロス部分を越えて上向きに延び且つ前記シートバックフレームの第２サイド部分に少なくとも部分的に重なって前記第２サイド部分と共に箱型断面を形成する、請求項１に記載のワンピース型シートバックフレームアセンブリ。
【請求項７】
車両用シートで使用するためのワンピース型シートバックフレームアセンブリであって、
ａ．上端及び下端を有する第１サイド部分と、上端及び下端を有し、前記第１サイド部分から離間する第２サイド部分と、
ｂ．第１端及び反対の第２端を有する上部クロス部分であって、前記第１端が前記第１サイド部分の上端に形成され、前記第２端が前記第２サイド部分の上端に形成された上部クロス部分と、
ｃ．第１端及び反対の第２端を有する下部クロス部分であって、前記第１端が前記第１サイド部分の下端に形成され、前記第２端が前記第２サイド部分の下端に形成された下部クロス部分と
を有するワンピース型シートバックフレームと、
第１端、反対の第２端、前面、及び反対の後面を有する細長い本体部分と、前記本体部分の第１端から外側に延びる第１壁部と、前記本体部分の第２端から外側に延びる反対の第２壁部とを有する下部クロスブラケット部材であって、前記下部クロスブラケット部材が前記シートバックフレームの下部クロス部分に少なくとも部分的に重なって前記下部クロス部分と共に箱型断面を形成するように前記シートバックフレームに連結された下部クロスブラケット部材と、
片側リクライニングシステムのために前記下部クロスブラケット部材の第２端に連結された第１リクライニング機構と、
前記下部クロスブラケット部材の第１端に連結されたピボットブラケットであって、複数の歯を有する内縁によって画定された開口部を有する平面状プレート部分と、リング部分を含む上端とプレート部分内縁から外側に延びる下端とを有するタブ部材と、複数の歯を有し、前記タブ部材のリング部分内に回転可能に配置されたコネクタとを含み、前記タブ部材が衝撃時に前記プレート部分内縁に向かって変位すると前記プレート部分の歯が前記コネクタの歯と噛み合うピボットブラケットと
を備えるワンピース型シートバックフレームアセンブリ。
【請求項８】
前記タブ部材の下端が複数の部分曲げを備え、前記部分曲げが、構造的完全性をもたらし、通常負荷状態で前記ピボットブラケットを拘束し、衝撃負荷状態で前記ピボットブラケットが変位することを可能にする、請求項７に記載のワンピース型シートバックフレームアセンブリ。
【請求項９】
ワンピース型シートバックフレームアセンブリの製造方法であって、
上端及び下端を有する第１サイド部分と、上端及び下端を有し、前記第１サイド部分から離間する第２サイド部分とを有するシートバックフレームと、第１端、反対の第２端、前面、及び反対の後面を有する細長い本体部分と、前記本体部分の第１端から外側に延びる第１壁と、前記本体部分の第２端から外側に延びる反対の第２壁とを有する下部クロスブラケット部材とを提供するステップと、
前記下部クロスブラケット部材に取り付けるのに適切なピボットブラケットとリクライニング機構とを選択するステップと、
前記ピボットブラケットとリクライニング機構を前記下部クロスブラケット部材に取り付けて固定するステップと、
前記下部クロスブラケット部材を前記シートバックフレームに取り付けて固定するステップであって、前記下部クロスブラケット部材が前記シートバックフレームの下部クロス部分に少なくとも部分的に重なって前記下部クロス部分と共に箱型断面を形成するように、前記下部クロスブラケット部材が前記シートバックフレームに連結されるステップと
を含む方法。
【発明の詳細な説明】
【技術分野】
【０００１】
本開示は、一般に、車両用座席の分野に関し、より詳細には、ワンピース型シートバックフレームアセンブリとその製造方法に関する。
【背景技術】
【０００２】
関連出願の相互参照
本出願は、２００９年１１月１２日に出願され米国仮出願第６１／２６０，６７５号に対する利益と優先権を主張するものであり、上記仮出願は、参照により本明細書に含まれるものとする。
【０００３】
シートバックフレーム、シートベースクッションフレーム、下部シート構造体、バックフレームシートベルトタワー等のシート構造体は、強度及び／又は耐久性の要件を満たすように、シートアセンブリに強度を与えることができる。これらの要件は、一般にＦＭＶＳＳ、ＥＣＥ等の政府規制に含まれ、他の団体によって、例えば車両製造業者や保険グループによって決められる。また、シート構造体は、ユーザが調整可能な快適性を改善すると共に、回転、折り畳み、摺動等の機能性又は有用性を増加させるという、シートアセンブリに対する顧客（と従って車両製造業者）の要望を満たすように構成することができる。所望の強度、耐久性、剛性、機能性、及び有用性の特徴を達成するには、一般に、質量、コスト、及び快適性に望ましくない影響を与える可能性がある追加の構成要素を使用する必要がある。従って、シート構造体は、一般に、質量、快適性、及びコストに対する構造的特性及び機能的特性のバランスを調整することにより設計される。
【０００４】
一般に、複数ステーションのスタンピング順送り金型等による従来のスタンピング工程を通して個々の部材を別々に形成し、その後、レーザー溶接工程、ＧＭＡＷ工程等の工程を通してそれらの形成された部材を連結することにより、シート構造体を作成することが知られている。この作成方法にはいくつかの欠点があり、少なくともその一部は以下のとおりである。第１に、形成された構成要素を結合するための溶接工程、特にレーザー溶接は、確実な構造溶接をもたらすために、ギャップ等のパラメータに関して厳しい精度を必要とし、これにより製造サイクル中に複雑且つ高価な治具及び工具が必要となる場合がある。第２に、厳しい精度に起因する信頼性低下への懸念により、製造業者が信頼性を高めるために余分な溶接を行って部材を連結する可能性があり、これにより部品コスト及び製造のサイクル時間が増大する場合がある。第３に、個々の部材を生成するために、個別のスタンピング金型又は工具が必要となることがあり、これにより部品コスト及びメンテナンス費用が増大する場合がある。第４に、シート構造体を作成するために使用される個々の部材の数が多いほど、１つの部材の不足によりシート構造体の製造プロセス全体が停止させられる可能性が高くなる。第５に、この作成方法は、製造プロセスにおける終了段階で重要な部分の取り扱いを必要し、これにより部品コストが増大する場合がある。第６に、アセンブリにできるだけ少ない部品を有することでコストを削減したいという要求により、製造業者が部品の削減を達成するためにシート構造体の一部を構造的に過剰設計する場合があるので、この作成方法は質量と強度の最適化を妨げる可能性がある。第７に、ＧＭＡＷやファスナー等の従来のいくつかの連結方法は、余分な部品や充填材等の材料の重複及び／又は追加を必要とし、これが質量とコストに悪影響を与える。第８に、複数の個々のスタンプ（型打ち）された部品の連結は、一般に、相当数の溶接を必要とする。例えば、従来の４つの部材のバックフレーム構造は、部材を連結して１つのアセンブリにするのに２０箇所以上の溶接を必要とする場合がある。この多量の溶接の必要性が、回転カルーセル型治具等の従来の溶接治具と組み合わさって、結果的に製造サイクル時間が遅くなる。
【発明の概要】
【発明が解決しようとする課題】
【０００５】
従って、増加した強度及び耐久性の要件を満たし又はそれを超えると同時に、低質量及び低コストで構造的構成要素を設計し、形成する必要がある。さらに、車両のシートアセンブリの構造的構成要素は、安全性関連の機能を提供するので、製造過程及び動的な車両衝撃時に荷重経路にある構成要素の信頼性を向上させる必要が常にある。また、快適さ、質量、及びコストへの影響を最小限に抑えつつ機能性を追加する必要がある。さらに、製品が製造サイクルの終了段階に移動するにつれて、構成要素を取り扱い又は変更するためのコストが大幅に増加するので、終了段階の作業を減らし又はなくしたいという要求がある。
【課題を解決するための手段】
【０００６】
従って、本開示は、車両用シートアセンブリで使用するためのワンピース型シートバックフレームに関する。ワンピース型シートバックフレームは、第１サイド部分及び第１サイド部分から離間する第２サイド部分と、上部クロス部分及び下部クロス部分とを含む。下部クロスブラケット部材は、下部クロスブラケット部材がシートバックフレームの下部クロス部分に少なくとも部分的に重なって囲まれた断面を形成するように、シートバックフレームに連結されている。第１リクライニング機構が、片側リクライニングシステムのために下部クロスブラケット部材の第２端に連結されている。ピボットブラケット又は第２リクライニング機構が、両側リクライニングシステムのために下部クロスブラケット部材の第１端に連結されることができる。
【０００７】
また、第１サイド部分及び第１サイド部分から離間する第２サイド部分と、上部クロス部分及び下部クロス部分とを含む、車両用シートアセンブリで使用するためのワンピース型シートバックフレームを提供する。その中に配置された第１ヘッドレストガイドを有する第１チャネルを含む上部クロスブラケット部材は、上部クロスブラケット部材がシートバックフレームの上部クロス部分に少なくとも部分的に重なるように、シートバックフレームに連結されている。
【０００８】
また、第１サイド部分及び第１サイド部分から離間する第２サイド部分と、上部クロス部分及び下部クロス部分と有する車両用シートアセンブリで使用するためのワンピース型シートバックフレームを提供する。下部クロスブラケット部材は、下部クロスブラケット部材がシートバックフレームの下部クロス部分に少なくとも部分的に重なって囲まれた断面を形成するように、シートバックフレームに連結されている。第１リクライニング機構は、下部クロスブラケット部材の第２端に連結されている。ピボットブラケットは、下部クロスブラケット部材の第１サイドに連結されている。ピボットブラケットは、複数の歯を有する内縁によって定義された開口部を有する平面状プレート部分を含む。リング部分を含む上端と下端とを有するタブ部材が、プレート部分の内縁から外側に延びている。複数の歯を有するコネクタは、タブ部材が衝撃によってプレート部分の内縁に向かって変位するとプレート部分の歯がコネクタの歯と噛み合うように、タブ部材のリング部分内に回転可能に配置されている。
【０００９】
本開示の利点は、ワンピース型シート構造体の質量及びコストが低減され、強度が増大することである。本開示の別の利点は、ワンピース型シート構造体の製造及び組み立てがより容易なことである。本開示のさらなる利点は、ワンピース型シート構造体を、片側リクライニングシステム又は両側リクライニングシステムで使用するためにカスタマイズできることである。本開示のさらに別の利点は、ワンピース型シート構造体の溶接継手が少なく、信頼性が向上することである。
【００１０】
添付の図面と併せて後続の説明を読んだ後で本開示がよく理解されたとき、本開示の他の特徴及び利点が容易に理解されるであろう。
【図面の簡単な説明】
【００１１】
【図１】例示的な実施形態に係る車両用シートアセンブリを有する車両の斜視図である。
【図２】例示的な実施形態に係る車両用シートアセンブリの斜視図である。
【図３】例示的な実施形態に係る、クロスブラケット部材とそれに取り付けられたピボットブラケットとを有するワンピース型シートバックフレームアセンブリの正面斜視図である。
【図４】図３のワンピース型シートバックフレームアセンブリのＡ−Ａ線に沿った断面図である。
【図５】図３のワンピース型シートバックフレームアセンブリの背面斜視図である。
【図６】図３のワンピース型シートバックフレームアセンブリの部分拡大正面斜視図である。
【図７】図３のワンピース型シートバックフレームアセンブリの部分拡大背面斜視図である。
【図８】例示的な実施形態に係る、ピボットブラケットとそれに取り付けられたシートバックピボットブラケットとを有するクロスブラケット部材の斜視図である。
【図９】例示的な実施形態に係るピボットブラケットの斜視図である。
【図１０】例示的な実施形態に係るリング部材の斜視図である。
【図１１】例示的な実施形態に係る、ワンピース型シートバックフレームとシートベースフレームとに連結されたクロスブラケット部材の断面図である。
【図１２】例示的な実施形態に係る、ワンピース型シートバックフレームの製造／組み立て方法のフローチャートである。
【図１３】別の実施形態に係る、複数の噛み合い歯を有するピボットブラケットの正面斜視図である。
【図１４】図１３の有するピボットブラケットの背面斜視図である。
【図１５】さらに別の実施形態に係る、クロスブラケット部材と、ヘッドレスト取り付け機能とを有し、シートベースフレームに連結されたワンピース型シートバックフレームアセンブリの部分斜視図である。
【図１６】図１５のワンピース型シートバックフレームアセンブリのＡ−Ａ線に沿った断面図である。
【図１７】上部クロスメンバーに連結された上部補強ブレースを有する、図１５のワンピース型シートバックフレームアセンブリの斜視図である。
【図１８】さらに別の実施形態に係る、それに取り付けられたクロスブラケット部材を有するワンピース型シートバックフレームアセンブリである。
【図１９】図１８のワンピース型シートバックフレームアセンブリのＡ−Ａ線に沿った断面図である。
【図２０】図１８のワンピース型シートバックフレームアセンブリのＢ−Ｂ線に沿った断面図である。
【図２１】図１８のワンピース型シートバックフレームアセンブリの背面斜視図である。
【図２２】さらに別の実施形態に係る一体化されたヘッドレストを有するワンピース型シートバックフレームの正面斜視図である。
【発明を実施するための形態】
【００１２】
概して図面を、特に図１を参照すると、車両１０が例示的な実施形態に従って示されている。車両１０は、車両１０の乗員のために設けられた１つ又は複数のシートアセンブリ１２を含む。図示の車両１０は４ドアのセダンであるが、シートアセンブリ１２は、ミニバン、スポーツユーティリティビークル、飛行機、船、又は他のいかなるタイプの車両にも使用できることが理解されるべきである。
【００１３】
図２を参照すると、シートアセンブリ１２が示されている。シートアセンブリ１２は、シートベース１６に動作可能に連結されたシートバック１４を含む。シートバック１４とシートベース１６は、着座した乗員に快適性、サポート、及び保護を提供する。ヘッドレスト１８は、シートバック１４の上端に位置し、同様に、着座した乗員に快適性、サポート、及び保護を提供する。また、シートアセンブリ１２は、シートベース１６に対するシートバック１４の回転調整機能を提供するために、シートバック１４とシートベース１６に動作可能に連結されたアクチュエータ２１を有するリクライニング機構２０を含むことができる。また、シートアセンブリ１２は、軌道アセンブリ２２を使用して車両１０に固定することができる。この実施例において、軌道アセンブリ２２は、快適性と有用性を高めるために、シートアセンブリが車両床に対して相対的に位置変更されることを可能にする。また、シートバック１４とシートベース１６は、トリムカバー２４、シートクッション構造２６等の他の構成要素を含む。
【００１４】
図３〜１１を参照すると、車両用シートで使用するためのワンピース型シートバックフレームアセンブリ２８が示されている。ワンピース型シートバックフレームアセンブリ２８は、リクライニングシステムの有無にかかわらず様々なシートアセンブリと共に使用することができる。例えば、ワンピース型シートバックフレームアセンブリは、両側又は片側リクライニングシステム等のリクライニングシステムと共に使用することができる。
【００１５】
ワンピース型バックフレーム２８は、一般に、上端３２と下端３４とを有する第１サイドメンバー又は部分３０と、上端３８と下端４０とを有する対向する第２サイドメンバー又は部分３６とを含む。また、ワンピース型シートバックフレーム２８は、第１サイドメンバーの上端３２と対向する第２サイドメンバーの上端３８との間に位置する、第１端４４と第２端４６とを有する上部クロスメンバー又は部分４２を含む。第１端５０と第２端５２とを有する対向する下部クロスメンバー又は部分４８が、第１サイドメンバーの下端３４と第２サイドメンバーの下端４０との間に位置する。第１サイドメンバー３０、第２サイドメンバー３６、上部クロスメンバー４２、及び下部クロスメンバー４８は、実質的に矩形のワンピース型バックフレーム２８を形成し、シートバックフレーム２８は前面５４と後面５６とを有する。前面５４と後面５６は、一般に、実質的に平坦であるが、以下でさらに説明する必要性又は性能要件に応じて、様々な形状、輪郭、特徴等を有する場合がある。
【００１６】
また、ワンピース型バックフレーム２８は、全体としてＵ字形チャネル又はＵ字形状６６を形成し且つ画定するように、前面５４の内縁６０から延びる内側側壁５８と、前面５４の外縁６４から延びる外側側壁６２と含むことができる。また、ワンピース型バックフレーム２８は、ワンピース型バックフレーム２８の一部の上に配置され且つ所定の程度に角度の付いた屈曲部又は曲げ部分６８を有することができる。この実施例において、屈曲部６８はそれぞれ、上部クロスメンバー４２と下部クロスメンバー４８との間に位置する。また、ワンピース型バックフレーム２８（及び下部クロスブラケット部材、ピボットブラケット、リクライナ等の他のワンピース型シートバックフレームアセンブリ構成要素のいずれか）は、その質量を大幅に増加させることなく、シートバックフレーム２８の強度及び剛性性能を高めるために、バックフレーム２８の一部として又はバックフレーム２８と一体的に形成された、リブ／補強材、ビード、ダーツ、突起、隆起、陥没、変形、スタンピング等）５４の複数の表面の特徴又は構造７０を含むことができる。特徴７０の数、長さ、形状、幅、大きさ、位置、配置、方向等は、ワンピース型バックフレーム２８の強度、安定性、及び性能を最適化するために適宜及び／又は必要に応じて異なる。この実施例では、ワンピース型バックフレーム２８の前部／後部の剛性を高めるために、第１及び第２サイドメンバー３０、３６の一部に垂直リブ７２が配置されている。これらの特徴７０の複雑さは、使用材料の種類によって異なる。一般に、形状寸法の複雑さは、低強度材料の使用によって増大させることができる。また、ワンピース型バックフレーム２８は、穴、押し出し穴、開口、溝、チャネル、通路等の複数の開口部７４と、リクライニング機構、リクライニングプレート、リクライニングシャフト、発泡体、トリムカバー、ヘッドレスト、等の他の構成要素の取り付け用のインタフェース／表面領域７６を含むことができる。また、ワンピース型バックフレーム２８は、構造の剛性、シートの発泡体／内装の耐久性、鋭い縁の減少、発砲体、トリムカバー等の他の構成要素の取り付け／載置面を提供するために、内側側壁５８及び外側側壁６２に沿って配置され、又は内側側壁５８及び外側側壁６２から延びる複数の縁又はフランジ７８を含み得る。
【００１７】
また、ワンピース型バックフレームアセンブリ２８は、図８に示すように、リクライナ、ピボットブラケット等の構成要素又は構造をそれに取り付けるための取り付け具／表面領域を有する、クロスブラケット部材８０を含むことができる。クロスブラケット部材８０は、ワンピース型バックフレームアセンブリ２８のためのブレース又は補強材として機能し得る。クロスブラケット部材８０は、第１端８２と対向する第２端８４とを有する全体として平面状の本体部分８１を含む。本体部分は、前面８６及び後面８８を含む。第１壁部８３が本体部分の第１端から外側に延び、対向する第２壁部８５が本体部分の第２端８４から外側に延びている。クロスブラケット部材８０は、図４に示すように、箱型構造物断面を作るように下部クロスメンバー部分４８の後側面に連結されている。箱型構造物断面は、シートアセンブリ１２のねじりに関する完全性と圧縮強度を高める。また、それは、図３〜７に示すように、ワンピース型シートバックフレームの下部４８を側面衝突荷重等の力に対して強化する。クロスブラケット部材８０は、クロスチューブ、トーションチューブ等のシート構造体で使用される他のタイプの部材よりも高いねじれ強さ及び側面圧縮強度を有し得る。クロスブラケット部材８０は、２つの構成要素間の連結を容易にし、タイトでぴったりとした嵌め合いをもたらすために、下部クロスメンバー４８等のワンピース型シートバックフレーム２８の形状に対応した輪郭を有し得る。また、クロスブラケット部材８０は、ピボットブラケット９２、リクライナ１１８等の他の構成要素をそれに連結するために、穴、開口、スロット等の複数の開口部９０を含むことができる。
【００１８】
ワンピース型シートバックフレームは、シートバックがシートベースに対して相対的に旋回することを可能にするために、クロスブラケット部材８０の一端又は両端に固定されたピボットブラケット９２を含み得る。ピボットブラケット９２は、リング部材、ブッシング等のコネクタ９４を含む。コネクタ９４は、外径又は外縁９８と開口部１０２を形成する内径又は内縁１００とを有するリング部分９６を含む。また、コネクタ９４は、内径１００から延びる実質的に円筒状の壁又は中空のカラー部分１０４を含む。また、コネクタ９４は、ベースプレート等のプレート部材１０６を含む。プレート部材１０６は、第１表面１０８と、第２表面１１０と、穴、開口、ソケット等の主要開口部１１２と、他のシート構造体及び／又は構成要素への取り付けのための複数の補助開口部又は穴１１４とを有する、実質的に平面状の部材である。また、プレート部材１０６は、プレート部材１０６の強度、剛性、及び性能を高めるため、及び他の構造への取り付けを容易にするために、輪郭、形状、延長部、取り付け領域等の様々な構造的特徴１１６を含むことができる。リング部材９４（カラー部分）は、リング部材９４が押し出しソケット穴１１２の縁の上で回転するように、プレート部材１０６のソケット１１２に回転可能に連結され、それによってソケット継手を作り、また機能性を高めるためにブッシングを含むことができる。
【００１９】
また、ワンピース型シートバックフレームは、シートベースに対するシートバックの選択的な調整を可能にするために、クロスブラケット部材８０の一端又は両端に連結されたリクライナを含み得る。リクライナ１１８は、ベースプレート等のプレート部材１２０を含む。プレート部材１２０は、第１表面１２２と、第２表面１２４と、穴、開口、ソケット等の主要開口部１２６と、他のシート構造体及び／又は構成要素への取り付けのための複数の補助開口部又は穴１２８とを有する、実質的に平面状の部材である。また、プレート部材１１２０は、プレート部材１２０の強度、剛性、及び性能を高めるため、及び他の構造への取り付けを容易にするために、輪郭、形状、延長部、取り付け領域等の様々な構造的特徴１３０を含むことができる。
【００２０】
ピボットブラケット９２とリクライナ１１８は、図８に示すように、クロスブラケット部材８０の内側側面及び外側側面等の第１端８２及び第２端８４に連結することができる。ピボットブラケット及び／又はリクライナの平面状部材１０６、１２０は、平面状部材の開口１１４、１２８を介して、シートベースフレーム等の別のシート構造体に回転可能に連結されている。ピボットブラケット９４及びリクライナ１１８とそれらの構成要素は、張り出した突出部等の様々な形状、サイズ、寸法を有することができる。この実施例では、プレート部材１０６、１２０は、実質的に三角形の部材である。
【００２１】
ワンピース型シート構造体は、テーラードブランク、テーラードコイル、均一又は不均一な材料グレード及び厚み等を有するモノリシックブランク又はコイル等の様々な材料から形成することができる。ワンピース型シート構造体は、ＨＳＬＡ、ＡＨＳＳ（アルミニウム、マグネシウム等の、二相、複相、ＴＲＩＰ、後成形熱処理鋼）等の様々な鋼種又はスチールタイプから形成することができる。使用される材料は、作られる構造体又は部分の種類、構造体又は部分の位置、構造体又は部分の形状寸法要件、構造体又は部分の強度要件等の様々な要因に応じて最適化することができる。例えば、低強度材料は、通常、構造体又は部分の設計により多くの形状寸法（又はより高度な複雑さ）の組み込みを可能にする、より高い成形性を有するが、低強度材料を用いることによって失われる強さを埋め合わせるのに、より大きな厚みを必要とする場合がある。材料の成形性と強度は、構造体又は部分のタイプ及びシートアセンブリ内におけるその位置によって決まるニーズに応じて、最適化し、バランスを取ることができる。
【００２２】
一実施例において、２００９年１０月１６日に出願された国際出願ＰＣＴ／ＵＳ０９／６１０２７号及び２０１０年７月２７日に出願されたＰＣＴ／ＵＳ１０／４３３９１号（これらの全体が参照により本明細書に組み込まれるものとする）に開示された様々な冷間成形プロセスを用いて、ワンピース型シートバックフレーム２８は、テーラードブランクから作成することができる。一般に、テーラードブランクは、例えば、構成要素を一体化し、スクラップを最小限に抑え、ハンドリングを減らし、コストを削減し、強さと質量を最適化する能力をもたらすように形成することができる。例えば、強度及び製造の要件を満たすために、材料、すなわち、テーラードブランクの異なる部分の機械的性質及び厚さをフレキシブルに最適化することによって、質量及びコストを最適化することができる。テーラードブランクは、その後、ワンピース型構造構成要素を製造するために、冷間成形プロセスによって成形されることができ、ワンピース型構造構成要素は複雑な形状を有するにもかかわらず、必要な二次的作業が少なく且つ必要な治具や工具が安価であり得る。ワンピース型シートバックフレーム２８は、コストと質量に関して最適化することができ、強度及び耐久性の要件と従来のシート構造体の強度及び耐久性とを満たすか又は超える。また、この質量の最適化は、より小さなシートの作成を可能にすることができ、その結果、積み荷又は快適さのために車両内のスペースを増大することができる。シート構成要素の質量の減少は、質量の減少がブレーキ、パワートレイン等の他の構成要素の設計に影響を与え、より低質量で、より小さく、より効率的等の他の構成要素を可能にし、車両内の他のコスト削減につながる可能性があるので、車両製造業者に対して波及効果がある。
【００２３】
ワンピース型シートバックフレームが形成されると、次いで、ワンピース型シートバックフレームアセンブリが所定の方法を用いて一緒に組み立てられる。実施例において、ワンピース型シートバックフレームアセンブリ２８の製造又は組み立ては、図１２に示すような例示的な方法で完了することができる。
【００２４】
この方法は２１０の第１ステップで始まる。このステップでは、ピボットブラケット９２及び／又はリクライニング機構１１８等の、適切なブラケット及び／又はリクライニング機構が選択され、クロスブラケット部材８０に取り付けられる。例えば、ピボットブラケットコネクタ９４のリング部分が、クロスブラケット部材８０の第１端８２及び／又は第２端８４の開口部又は穴９２内に連結され又は配置される。クロスブラケット部材８０は、片側リクライニングシートの用途又は両側リクライニングシートの用途のいずれかのためにカスタマイズすることができる。片側リクライニングシートの用途の場合、ピボットブラケット９２がクロスブラケット部材８０の一方の側に取り付けられ、リクライニング機構がクロスブラケット部材８０の反対の側に取り付けられる。両側リクライニングシートの用途の場合、リクライニング機構がクロスブラケット部材８０の両側に取り付けられる。
【００２５】
方法は、２２０の第２ステップに進む。このステップでは、ブラケット及び／又はリクライナが、溶接、締め付け等の選択された技術を使用して、クロスブラケット部材に固定される。
【００２６】
方法は、次に２３０の第３ステップに進む。このステップでは、ブラケット及び／又はリクライナが取り付けられたクロスブラケット部材８０が、シートバックフレームに取り付けられ、溶接、締め付け等の選択された技術を使用してシートバックフレームに固定される。
【００２７】
本開示のワンピース型シートバックフレームアセンブリ２８は多くの利益をもたらす。例えば、ワンピース型シートバックフレームアセンブリ２８のクロスブラケット部材８０の部分は、シートアセンブリ１２のねじりに関する完全性と圧縮強度を高める箱型構造部分を設けることにより全体の構造を改善し、それにより、必要なリクライナは１つだけとなる。ワンピース型シートバックフレームアセンブリ２８は、他のシートバックフレーム構造よりも高いコスト及び質量効率をもたらす。また、ワンピース型シートバックフレームアセンブリ２８は、左側シートアセンブリ又は右側シートアセンブリとして構成されることができ、それによって向かい合ったシート構成要素を作成する必要がなくなる。クロスブラケット部材８０（ボックススタンピング）を形成するために使用される材料のゲージは、コスト、質量等の点で、アセンブリに大きな影響を与えることなく増大させることができる。また、クロスブラケット部材８０のデザインは、他の構造体（例えば、リクライナ取付、ピボットブラケット等）のより簡単な取り付けを可能にし、また、衝突時により効率的に負荷を分散し且つ乗員をシートに保持するために、比較的大きな表面積（平面／前面）を提供する。平面状部材１０６、１３４の張り出した突出部は、負荷がスタンピング（シート構造体／ピボットアセンブリ）内に分散されることを可能にし、接合部（例えば、リング部材と板状部材との接合部等）のための比較的大きな表面積を提供し、それにより、さらに製造コストと部品点数の要件を減らすことができる。
【００２８】
図１３〜１４を参照すると、さらに別の実施形態によるシートアセンブリ３２８が示されている。この実施形態では、ピボットブラケット３９２は、リング部材コネクタ３９４と、ベースプレート等のプレート部材４０６とを含む。ピボットブラケット３２８は、クロスブラケット部材３８０の第１側面又は第２側面（内側側面及び外側側面）に連結され得る。
【００２９】
プレート部材４０６は、第１表面４０８と、第２表面４１０と、内縁４１４を有する中央開口部４１２とを有する実質的に平面状の部材である。内縁４１４の少なくとも一部は、以下でさらに詳細に説明するように、リング部材コネクタ３９４と係合するための複数の歯４１６を含む。また、プレート部材４０６は、中央開口部の内縁４１４から外側に延びるタブ部材４１８を含む。タブ部材４１８は、一連の部分曲げ４２１含む下方部分４２０と、押し出しソケット穴等の開口４２４を有する上方部分４２２とを有する。この実施例では、上方部分４２２は、リング部材コネクタ３９４に取り付けるためのリングの形状になっている。また、プレート部材４０６は、他のシート構造体及び／又は構成要素に取り付けるための複数の補助開口部又は穴４２６を含む。また、プレート部材４０６は、プレート部材４０６の強度、剛性、及び性能を高めるため、及び他の構造体への取り付けを容易にするために、輪郭、形状、延長部、曲げ、リブ、波形、取り付け領域等の様々な付加的な構造的特徴を含み得る。平面状部材４０６は、開口４２６を介して、シートベースフレーム等の別のシート構造体に連結することができる。平面状部材４０６は、張り出した突出部等の様々な形状、サイズ、寸法を有することができる。
【００３０】
リング部材３９４は、リング部材３９４がタブ部材開口部４２４の縁の上で回転するように、タブ部材開口部４２４に連結され、また機能性を高めるためにブッシングを含み得る。この実施形態では、リング部材コネクタ３９４はまた、板状部材の歯４１６と係合し又は噛み合うための複数の噛み合い歯４２８を含む。リング部材コネクタ４２８の噛み合い歯とプレート部材の歯４１６は、係合及びロックを容易にするために、所定の様に（例えば、後方に、前方に等）角度が付けられている。或いは、歯はタブ部材リング部分の上に配置されてもよい。
【００３１】
部分曲げ４２１は、通常負荷時はピボットブラケット３９２を拘束し、衝撃負荷時はピボットブラケット３９２が変位することを可能にする構造的完全性を提供する。例えば、後方衝撃時に、リング部材コネクタ３９４とタブ部材４１８は、プレート部材の内縁４１４に向かって後方に変位し、それにより、リング部材の歯４２８はプレート部材の歯４１６と係合させられ又は噛み合わせられる。これは、車両衝撃時にシートバックの回転を防止する機構を提供する。
【００３２】
図１５−１７を参照すると、さらに別の実施形態によるワンピース型シートバックフレームアセンブリ５２８が示されている。この実施形態では、ワンピース型シートバックフレーム５２８は、上部クロスブラケット部材６４８を含む。上部クロスブラケット部材は、第１端６５０と対向する第２端６５２とを含み、全体として第１側面又は表面６５４と対向する第２側面又は表面６５６とを有する細長い部材を形成する。また、上部クロスブラケット部材６４８は、ヘッドレストのための開口部及びガイド部材を含み得る。この実施例では、上部クロスブラケット部材は、内部に配置された第１及び第２ガイド部材６６２を有する第１及び第２開口又は通路６５８、６６０を含む。ガイド部材は、シャフト、チューブ等の様々な構造体とすることができる。ガイド部材は、通路内に配置され、ヘッドレスト等の他の構造体をシートバックに連結するために使用される。この実施例では、ガイド部材６６２は、ヘッドレストのシャフト又はロッドを入れるように設計された管状チャネル６６３を有する。上部クロスブラケット部材６４８は、上部クロス部材６４８が上部クロスメンバー部分５４２に隣接又は接触した状態にあるように第１及び第２のガイド部材６６２の上に配置され、それにより、ワンピース型シートバックフレーム５２８の上部クロスメンバー部分５４２を補強する。コストとスクラップ材を削減し、生産効率を向上させるために、上部クロスブラケット６４８及び／又は下部クロスブラケット５８０は（他のシート構成要素と同様に）、バックフレームの廃物又は中央スクラップ部分等の、ワンピース型シートバックフレームを形成することから生じた余材又は廃材から形成することができる。また、ワンピース型シートバックフレーム５２８の上部クロスメンバー部分５４２は、後方衝撃時にヘッドレストによって生じる時計回りのモーメントを防ぐように設計された部分等の、複数の特徴を含むことができる。一実施例では、上部クロスメンバーは、ガイド部材を垂直方向に挿入するための第１及び第２スロットを含む。また、上部クロスメンバー５４２は、垂直（上下）方向におけるガイド又はヘッドレストの動きを可能にする滑り面６６５を含む。
【００３３】
図１８〜２１を参照すると、さらに別の実施形態によるワンピース型シートバックフレームアセンブリ７２８が示されている。この実施形態では、ワンピース型バックフレーム７２８は、一般に、第１サイドメンバー又は部分７３０と、対向する第２サイドメンバー又は部分７３６とを含む。また、ワンピース型シートバックフレーム２８は、第１サイドメンバー７３０と第２サイドメンバー７３６との間に位置する上部クロスメンバー又は部分７４２を含む。対向する下部クロスメンバー又は部分７４８が、第１サイドメンバー７３０と第２サイドメンバー７３６との間に位置する。第１サイドメンバー７３０、第２サイドメンバー７３６、上部クロスメンバー７４２、及び下部クロスメンバー７４８は、前面７５４と後面７５６を有する実質的に矩形のワンピース型バックフレーム７２８を形成する。また、ワンピース型シートバックフレーム７２８は、ねじりに関する完全性をもたらし、側面衝突荷重等の力に対してワンピース型シートバックフレーム７４８の下部を強化するために、下部クロスメンバー部分７４８上でシートバックフレーム７５６の後面に連結されたクロスブラケット部材７８０を含む。クロスブラケット部材７８０は、上部クロスメンバー７４２に向かって、シートバック７２８の上方へ所定の距離延びてもよい。例えば、クロスブラケット部材７８０は、第１サイドメンバー７３０、第２サイドメンバー７３６、上部クロスメンバー７４２、又は下部クロスメンバー７４８の１つ又は組み合わせの上方へ部分的に又は完全に延びることができる。また、１つ又は複数のクロスブラケット部材７８０が、第１サイドメンバー７３０、第２サイドメンバー７３６、上部クロスメンバー７４８、又は下部クロスメンバー７４２の間のスペースに所定のデザイン、パターン、又は方法で部分的に又は完全にまたがってもよい。この実施例では、クロスブラケット部材７８０は、図２０に示すように、第２サイドメンバー７３６の上方へ延び、シートの性能、強度等をさらに高める箱型部分を有する一体構造シート（ＩＳＳ）を作り出す。
【００３４】
本開示の技術革新を、記載されたワンピース型シートバックフレームに関して説明してきたが、標準的なマルチピース型シートバックフレーム、チューブフレーム、他のワンピース型シートバックフレームのデザイン等の、他のタイプシートのバックフレームも本技術革新で使用され得ると考えられる。
【００３５】
例えば、図２２に示すようなワンピース型シートバックフレームも使用することができる。この実施例では、ワンピース型シートバックフレーム８２８は、一般に、第１サイドメンバー又は部分８３０と対向する第２サイドメンバー又は部分８３６とを含む。また、ワンピース型シートバックフレーム８２８は、第１サイドメンバー８３０と第２サイドメンバー８３６との間に位置する上部クロスメンバー又は部分８４２を含む。対向する下部クロスメンバー又は部分８４８が、第１サイドメンバー８３０と第２サイドメンバー８３６との間に位置する。また、ワンピース型シートバックフレーム８２８は、ワンピース型スバックフレーム８４２の上方部分と一体に形成されたヘッドレストフレーム８４３を含む。第１サイドメンバー８３０、第２サイドメンバー８３６、上部クロスメンバー８４２、下部クロスメンバー８４８、及びヘッドレストフレーム８４３は、前面８５４と後面８５６を有する実質的に矩形のワンピース型バックフレーム８２８を形成する。
【００３６】
本開示の多くの修正及びバリエーションが上記教示に照らして可能である。従って、添付の特許請求の範囲内において、本開示は、明確に記載された以外に実施することができる。
【図１】
0005563667.tif 000002
【図２】
0005563667.tif 000003
【図３】
0005563667.tif 000004
【図４】
0005563667.tif 000005
【図５】
0005563667.tif 000006
【図６】
0005563667.tif 000007
【図７】
0005563667.tif 000008
【図８】
0005563667.tif 000009
【図９】
0005563667.tif 000010
【図１０】
0005563667.tif 000011
【図１１】
0005563667.tif 000012
【図１２】
0005563667.tif 000013
【図１３】
0005563667.tif 000014
【図１４】
0005563667.tif 000015
【図１５】
0005563667.tif 000016
【図１６】
0005563667.tif 000017
【図１７】
0005563667.tif 000018
【図１８】
0005563667.tif 000019
【図１９】
0005563667.tif 000020
【図２０】
0005563667.tif 000021
【図２１】
0005563667.tif 000022
【図２２】
0005563667.tif 000023